(57)【要約】      （修正有）【課題】乾燥食品をパッケージングするファイバー容器を提供する。【解決手段】乾燥食品をパッケージングするファイバー容器１であり、ファイバー容器と、ろ紙２と、乾燥食品５とを含み、ファイバー容器が錐体の形態を有し、底面１１を構成し、ろ紙が超音波機器加工を通じて形成され、ろ紙がファイバー容器の全長の十分の一乃至十分の三の高度に固定され、ろ紙が底環形態によりファイバー容器に固定され、ろ紙と底面との間で熱膨張空間を構成し、乾燥食品が熱膨張空間においてパッケージングされ、熱湯がファイバー容器に加えられてろ紙を経ることで、乾燥食品が熱膨張及び熱変性を生成し且つ組織液を放出し、組織液が熱拡散性または解離熱によって全ての熱湯へと拡散及び流動する。【選択図】図１
0003227207.tif 000002
【実用新案登録請求の範囲】
【請求項１】
乾燥食品をパッケージングするファイバー容器であり、ファイバー容器と、ろ紙と、乾燥食品とを含み、
前記ファイバー容器が錐体の形態を有し、底面を構成し、
前記ろ紙が物理加工により形成される熱膨張空間であり、前記ろ紙が前記ファイバー容器の全長の十分の一乃至十分の三の高度に固定され、前記ろ紙が底環形態により前記ファイバー容器に固定され、
前記乾燥食品が前記熱膨張空間においてパッケージングされ、熱湯が前記ファイバー容器に加えられて前記ろ紙を経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【請求項２】
乾燥食品をパッケージングするファイバー容器であり、ファイバー容器と、ろ過フレームと、乾燥食品とを含み、
前記ファイバー容器が錐体の形態を有し、底面を構成し、
前記ろ過フレームが環状構造であり、物理加工を通じてろ過膜を前記ろ過フレームの上表面に形成し、その側辺が少なくとも三つの支柱を延伸して形成し、前記側辺及び前記支柱が複数の凹凸構造を形成して有し、前記凹凸構造と前記ファイバー容器とが摩擦することで固定され、前記ろ過フレームと前記底面との間で熱膨張空間を構成し、前記ろ過フレームが前記ファイバー容器の全長の十分の一乃至十分の三の高度に固定され、
前記乾燥食品が前記熱膨張空間においてパッケージングされ、熱湯が前記ファイバー容器に加えられて前記ろ過フレームを経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【請求項３】
乾燥食品をパッケージングするファイバー容器であり、ファイバー容器と、ろ過ユニットと、乾燥食品とを含み、
前記ファイバー容器が錐体の形態を有し、底面を構成し、
前記ろ過ユニットが熱膨張空間を形成し、前記ろ過ユニットの高さが前記ファイバー容器の全長の十分の一乃至十分の三の高度であり、前記ろ過ユニットの側辺が複数の凹凸構造を形成して有し、前記凹凸構造と前記ファイバー容器とが摩擦することで固定され、
前記乾燥食品が前記熱膨張空間においてパッケージングされ、熱湯が前記ファイバー容器に加えられて前記ろ過ユニットを経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【考案の詳細な説明】
【技術分野】
【０００１】
本考案は、乾燥食品をパッケージングするファイバー容器に関し、特に、物理加工により形成される熱膨張空間となるろ紙と、この熱膨張空間においてパッケージングされる乾燥食品とを含むファイバー容器を言う。
【背景技術】
【０００２】
まず、周知技術には、中国特許公報公告第ＣＮ２００５２００７０１３４．７号明細書に開示される使い捨てティーカップが挙げられる。この技術の主な構成上の特徴は、紙カップを含み、紙カップ中のカップ底には、ろ過網を通じて形成された隔倉が設けられ、隔倉中には茶葉がパッケージングされることにある。そのメリットとして、茶葉と使い捨て紙カップが一体に置かれることから、使用の際に再度茶葉を使い捨て紙カップに入れる必要もなければ、飲用時に茶葉が水中に浮いてきたり、口の中に入ってきたりすることもなく大変便利が良いことがある。また、茶葉の湿気を防ぐため、ろ過網上に防湿用密封膜を覆いかぶせており、使用の際ろ過網上の防湿用密封膜を取り去るだけで、熱湯を入れ飲用に供するという点もある。
【０００３】
周知技術には加えて、中国特許公報公告第ＣＮ０２２６１６７９．９号明細書に開示される使い捨てティーカップが挙げられる。この技術の構成上の特徴は、使い捨てのプラスチックカップ体を含み、該カップ体下内部とカップ底とで一塊のろ過網を平行に安置しており、ろ過網とカップ底との間の空洞内には茶の素が充填されることである。使用の際熱湯を注入するのみで飲用が可能であり、また茶の素が水面に浮いてきて飲用行為に影響を来すこともないので、家庭や茶室、公共施設等での提供に適する。
【０００４】
周知技術には更に、中国特許公報公告第ＣＮ１０４２５７２０６Ｂ号明細書に開示される、使い捨て隔倉弾性ティーカップとその作成方法が挙げられる。この技術の構成上の特徴は、一つの使い捨てＰＥラミネートカップ体、及びカップ底を含むことである。そのうち、カップ体内腔はカップ底からの一定の距離の高度において一層のろ過網を加熱プレスして固定し、カップ底とろ過網との間で隔倉を形成し、隔倉中には茶葉をパッケージングし、またカップ底を弧形弾性構造としている。上記特徴に基づき、使用時には熱湯を注入し、指でカップ底を押し動かして茶水を拡散させ均等にするのみで飲用ができ、また茶の濃淡度は押し動かす回数により調整でき、カップを揺らす必要がない。そして茶葉が水面に浮いてきて飲用行為に影響を来すこともない。欠点として、熱を持てば毒を発する懸念がある。
【先行技術文献】
【特許文献】
【０００５】
【特許文献１】中国特許公報公告第ＣＮ２００５２００７０１３４．７号明細書
【特許文献２】中国特許公報公告第ＣＮ０２２６１６７９．９号明細書
【特許文献３】中国特許公報公告第ＣＮ１０４２５７２０６Ｂ号明細書
【考案の概要】
【考案が解決しようとする課題】
【０００６】
本考案の目的は、ろ過フレーム、ろ過布、ろ過膜、ろ紙、ろ過網及びろ過ユニットを使用して乾燥食品をパッケージングするファイバー容器を提供することである。
【課題を解決するための手段】
【０００７】
上述した本考案の目的を達成するために、本考案による乾燥食品をパッケージングするファイバー容器は、ファイバー容器と、ろ紙と、乾燥食品とを含む。
【０００８】
ファイバー容器は錐体の形態を有し、底面を構成する。
【０００９】
ろ紙は物理加工により形成される熱膨張空間であり、このろ紙はファイバー容器の全長の十分の一乃至十分の三の高度に固定される。またろ紙は底環（ボトムリング）形態によりファイバー容器に固定される。
【００１０】
乾燥食品は熱膨張空間においてパッケージングされる。熱湯がファイバー容器に加えられてろ紙を経ることで、乾燥食品は熱膨張及び熱変性を生成し、且つ組織液を放出する。この組織液は熱拡散性または解離熱によって全ての熱湯へと拡散及び流動し得る。
【図面の簡単な説明】
【００１１】
【図１】本考案による乾燥食品をパッケージングするファイバー容器の第一実施形態の断面図である。
【図２】図１におけるＡ部分の部分拡大図である。
【図３】本考案による乾燥食品をパッケージングするファイバー容器の第二実施形態の断面図である。
【図４】図３におけるＢ部分の部分拡大図である。
【図５】本考案による乾燥食品をパッケージングするファイバー容器の第三実施形態の断面図である。
【図６】図５におけるＣ部分の部分拡大図である。
【考案を実施するための形態】
【００１２】
図１及び図２を参照すれば、本考案による乾燥食品をパッケージングするファイバー容器の第一実施形態は、主にファイバー容器１、ろ紙２及び乾燥食品５により構成される。
【００１３】
ファイバー容器１はコーンのような錐体の形態を有し、底面１１を構成する。そのうち、ファイバー容器１は板紙容器により構成される。
【００１４】
ろ紙２は物理加工により形成される熱膨張空間であり、このろ紙２はファイバー容器１の全長の十分の一乃至十分の三の高度に固定される。またろ紙２は底環（ボトムリング）形態によりファイバー容器１に固定される。そのうち、前記物理加工は、音波発生装置を用いて２０ｋｈｚまたは１５ｋｈｚの高周波数信号を生成し、超音波機器上に固定されたエネルギ変換装置のはんだ付けヘッドを直接ろ紙２の周囲に接触させ、高周波振動を通じてファイバー容器１とろ紙２との接触部分の分子に、激しい摩擦による部分的な高温を発生させて融解をさせ、冷却後において固化及び粘合をさせるものである。
【００１５】
乾燥食品５は前記熱膨張空間においてパッケージングされる。熱湯がファイバー容器１に加えられてろ紙２を経ることで、乾燥食品５は熱膨張及び熱変性を生成し、且つ組織液を放出する。この組織液は熱拡散性または解離熱によって全ての熱湯へと拡散及び流動し得る。
【００１６】
図３及び図４を参照すれば、本考案による乾燥食品をパッケージングするファイバー容器の第二実施形態は、主にファイバー容器１、ろ過フレーム３１及び乾燥食品５により構成される。
【００１７】
ファイバー容器１は錐体の形態を有し、底面１１を構成する。そのうち、ファイバー容器１は板紙容器により構成される。
【００１８】
ろ過フレーム３１は環状構造であり、物理加工を通じてろ過膜３３を、またはろ過布を、またはろ紙２を、またはろ過網を、ろ過フレーム３１の上表面に形成し、その側辺からは少なくとも三つの支柱３２を延伸して形成し、前記側辺及び支柱３２は複数の凹凸構造を形成して有する。この凹凸構造はファイバー容器１と摩擦することでファイバー容器１の前記錐体の接触面へと固定され、且つ支柱３２と底面１１は相互近接する。ろ過フレーム３１と底面１１との間で熱膨張空間を構成し、ろ過フレーム３１はファイバー容器１の全長の十分の一乃至十分の三の高度に固定される。
【００１９】
乾燥食品５は前記熱膨張空間においてパッケージングされる。熱湯がファイバー容器１に加えられてろ過フレーム３１を経ることで、乾燥食品５は熱膨張及び熱変性を生成し、且つ組織液を放出する。この組織液は熱拡散性または解離熱によって全ての熱湯へと拡散及び流動し得る。
【００２０】
図５及び図６を参照すれば、本考案による乾燥食品をパッケージングするファイバー容器の第三実施形態は、主にファイバー容器１、ろ過ユニット４及び乾燥食品５により構成される。
【００２１】
ファイバー容器１は錐体の形態を有し、底面１１を構成する。そのうち、ファイバー容器１は板紙容器により構成される。
【００２２】
ろ過ユニット４は熱膨張空間を形成し、ろ過ユニット４の高さはファイバー容器１の全長の十分の一乃至十分の三の高度である。ろ過ユニット４の側辺は複数の凹凸構造を形成して有する。この凹凸構造はファイバー容器１と摩擦することでファイバー容器１の前記錐体の接触面へと固定され、且つろ過ユニット４と底面１１は相互近接する。
【００２３】
乾燥食品５は前記熱膨張空間においてパッケージングされる。熱湯がファイバー容器１に加えられてろ紙２を経ることで、乾燥食品５は熱膨張及び熱変性を生成し、且つ組織液を放出する。この組織液は熱拡散性または解離熱によって全ての熱湯へと拡散及び流動し得る。
【００２４】
ろ過フレーム３１、ろ過布、ろ過膜３３、ろ紙２、ろ過網及びろ過ユニット４の孔径の大きさによって決定されるものがある。例えば孔径が２００マイクロメートルよりも小さい場合、複数のこの孔径は、前記熱膨張空間中にパッケージングされる乾燥食品５（例えば、茶葉、コーヒー豆、健康食品、乾燥野菜、ドライフラワー、ドライプランツ等）から前記組織液をろ過する効果を有する。
【００２５】
ろ過フレーム３１、ろ過布、ろ過膜３３、ろ紙２、ろ過網及びろ過ユニット４の孔径の部分は、圧力降下を生成することもできる。この圧力降下は孔径の大きさ、数量及び総通過表面積によって決まるものである。これにより、前記熱膨張空間中で一定の圧力が維持されると同時に、乾燥食品５と熱湯との間の熱膨張及び熱変性の相互作用が改善される。
【００２６】
ろ過フレーム３１、ろ過布、ろ過膜３３、ろ紙２、ろ過網及びろ過ユニット４の前記孔径の直径または幅は、５０マイクロメートル乃至８００マイクロメートルの間、好ましくは１００マイクロメートル乃至６００マイクロメートルの間とすることができる。孔径が２００マイクロメートルまたは２００マイクロメートル以上の幅或いは直径を有し、且つ流動を制限していない場合において、また、例えば比較的高い圧力降下を生成する乾燥食品５をファイバー容器１中に置いた時の前記組織液が熱拡散性または解離熱により流動経路中に拡散した際においてであるが、前記組織液の流動経路が比較的低い圧力降下である状況下で、比較的大きな孔径を有するろ過フレーム３１、ろ過布、ろ過膜３３、ろ紙２、ろ過網及びろ過ユニット４は、乾燥食品５を熱膨張空間において保持するものであるものの、一方で前記組織液は前記熱膨張空間を迅速に離れることができ（即ち比較的高い流速が生成される）、且つ前記熱膨張空間中の熱湯と乾燥食品５との間に発生する相互作用も少なくなる。
【００２７】
ある形態においては、出口孔孔径を有するろ過フレーム３１、ろ過布、ろ過膜３３、ろ紙２、ろ過網及びろ過ユニット４は、濾紙、織物繊維、非織物繊維、網状材料、多孔ポリマー薄膜またはそれらの組み合わせにより形成することができる。この状況において、ろ過フレーム３１、ろ過布、ろ過膜３３、ろ紙２、ろ過網及びろ過ユニット４の部分は、ろ過機器、繊維または網状材料の帯または異なる部分により形成することができる。網状材料は、例えば金属及び／またはポリラインとすることができる。当該繊維はポリライン及び／または天然繊維の織物とすることができる。これら異なる状況において、孔径は材料に形成される繊維間での孔により形成することができる。詳しく言えば、ポリマー繊維、網状材料または多孔ポリマー薄膜は破裂しにくいものとすることができ、同時に比較的低い気孔率を有するように設計することができる。
【００２８】
以上をまとめると、本考案は空間的形態において創造性を有し、周知技術と比較して、以上に述べた効果の発揮をよく促進するものであるため、実用新案登録に求められる新規性、進歩性の要件を満たす。ここに本考案の実用新案登録を申請するので、審査により登録の査定を賜りたい。
【符号の説明】
【００２９】
１    ファイバー容器
１１  底面
２    ろ紙
３１  ろ過フレーム
３２  支柱
３３  ろ過膜
４    ろ過ユニット
５    乾燥食品
【図１】
0003227207.tif 000003
【図２】
0003227207.tif 000004
【図３】
0003227207.tif 000005
【図４】
0003227207.tif 000006
【図５】
0003227207.tif 000007
【図６】
0003227207.tif 000008
【手続補正書】
【提出日】令和2年4月14日(2020.4.14)
【手続補正１】
【補正対象書類名】実用新案登録請求の範囲
【補正対象項目名】全文
【補正方法】変更
【補正の内容】
【実用新案登録請求の範囲】
【請求項１】
乾燥食品をパッケージングするファイバー容器であり、ファイバー容器と、ろ紙と、乾燥食品とを含み、  前記ファイバー容器が錐体の形態を有し、底面を構成し、  前記ろ紙が超音波機器加工を通じて形成され、前記ろ紙が前記ファイバー容器の全長の十分の一乃至十分の三の高度に固定され、前記ろ紙が底環形態により前記ファイバー容器に固定され、前記ろ紙と前記底面との間で熱膨張空間を構成し、  前記乾燥食品が前記熱膨張空間においてパッケージングされ、熱湯が前記ファイバー容器に加えられて前記ろ紙を経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【請求項２】
乾燥食品をパッケージングするファイバー容器であり、ファイバー容器と、ろ過フレームと、乾燥食品とを含み、  前記ファイバー容器が錐体の形態を有し、底面を構成し、  前記ろ過フレームが環状構造であり、超音波機器加工を通じてろ過膜を前記ろ過フレームの上表面に形成し、その側辺が少なくとも三つの支柱を延伸して形成し、前記側辺及び前記支柱が複数の凹凸構造を形成して有し、前記凹凸構造と前記ファイバー容器とが摩擦することで固定され、前記ろ過フレームと前記底面との間で熱膨張空間を構成し、前記ろ過フレームが前記ファイバー容器の全長の十分の一乃至十分の三の高度に固定され、  前記乾燥食品が前記熱膨張空間においてパッケージングされ、熱湯が前記ファイバー容器に加えられて前記ろ過フレームを経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【請求項３】
乾燥食品をパッケージングするファイバー容器であり、ファイバー容器と、ろ過ユニットと、乾燥食品とを含み、  前記ファイバー容器が錐体の形態を有し、底面を構成し、  前記ろ過ユニットが前記底面との間で熱膨張空間を形成し、前記ろ過ユニットの高さが前記ファイバー容器の全長の十分の一乃至十分の三の高度であり、前記ろ過ユニットの側辺が複数の凹凸構造を形成して有し、前記凹凸構造と前記ファイバー容器とが摩擦することで固定され、  前記乾燥食品が前記熱膨張空間においてパッケージングされ、熱湯が前記ファイバー容器に加えられて前記ろ過ユニットを経ることで、前記乾燥食品が熱膨張及び熱変性を生成し且つ組織液を放出し、前記組織液が熱拡散性または解離熱によって全ての熱湯へと拡散及び流動し得ることを特徴とする、乾燥食品をパッケージングするファイバー容器。
【手続補正２】
【補正対象書類名】明細書
【補正対象項目名】全文
【補正方法】変更
【補正の内容】
【考案の詳細な説明】
【技術分野】
【０００１】  本考案は、乾燥食品をパッケージングするファイバー容器に関し、特に、超音波機器加工により形成される熱膨張空間となるろ紙と、この熱膨張空間においてパッケージングされる乾燥食品とを含むファイバー容器を言う。
【背景技術】
【０００２】  まず、周知技術には、中国特許公報公告第ＣＮ２００５２００７０１３４．７号明細書に開示される使い捨てティーカップが挙げられる。この技術の主な構成上の特徴は、紙カップを含み、紙カップ中のカップ底には、ろ過網を通じて形成された隔倉が設けられ、隔倉中には茶葉がパッケージングされることにある。そのメリットとして、茶葉と使い捨て紙カップが一体に置かれることから、使用の際に再度茶葉を使い捨て紙カップに入れる必要もなければ、飲用時に茶葉が水中に浮いてきたり、口の中に入ってきたりすることもなく大変便利が良いことがある。また、茶葉の湿気を防ぐため、ろ過網上に防湿用密封膜を覆いかぶせており、使用の際ろ過網上の防湿用密封膜を取り去るだけで、熱湯を入れ飲用に供するという点もある。【０００３】  周知技術には加えて、中国特許公報公告第ＣＮ０２２６１６７９．９号明細書に開示される使い捨てティーカップが挙げられる。この技術の構成上の特徴は、使い捨てのプラスチックカップ体を含み、該カップ体下内部とカップ底とで一塊のろ過網を平行に安置しており、ろ過網とカップ底との間の空洞内には茶の素が充填されることである。使用の際熱湯を注入するのみで飲用が可能であり、また茶の素が水面に浮いてきて飲用行為に影響を来すこともないので、家庭や茶室、公共施設等での提供に適する。【０００４】  周知技術には更に、中国特許公報公告第ＣＮ１０４２５７２０６Ｂ号明細書に開示される、使い捨て隔倉弾性ティーカップとその作成方法が挙げられる。この技術の構成上の特徴は、一つの使い捨てＰＥラミネートカップ体、及びカップ底を含むことである。そのうち、カップ体内腔はカップ底からの一定の距離の高度において一層のろ過網を加熱プレスして固定し、カップ底とろ過網との間で隔倉を形成し、隔倉中には茶葉をパッケージングし、またカップ底を弧形弾性構造としている。上記特徴に基づき、使用時には熱湯を注入し、指でカップ底を押し動かして茶水を拡散させ均等にするのみで飲用ができ、また茶の濃淡度は押し動かす回数により調整でき、カップを揺らす必要がない。そして茶葉が水面に浮いてきて飲用行為に影響を来すこともない。欠点として、熱を持てば毒を発する懸念がある。
【先行技術文献】
【特許文献】
【０００５】
【特許文献１】中国特許公報公告第ＣＮ２００５２００７０１３４．７号明細書
【特許文献２】中国特許公報公告第ＣＮ０２２６１６７９．９号明細書
【特許文献３】中国特許公報公告第ＣＮ１０４２５７２０６Ｂ号明細書
【考案の概要】
【考案が解決しようとする課題】
【０００６】  本考案の目的は、ろ過フレーム、ろ過布、ろ過膜、ろ紙、ろ過網及びろ過ユニットを使用して乾燥食品をパッケージングするファイバー容器を提供することである。
【課題を解決するための手段】
【０００７】  上述した本考案の目的を達成するために、本考案による乾燥食品をパッケージングするファイバー容器は、ファイバー容器と、ろ紙と、乾燥食品とを含む。【０００８】  ファイバー容器は錐体の形態を有し、底面を構成する。【０００９】  ろ紙は超音波機器加工を通じて形成されるもので、このろ紙はファイバー容器の全長の十分の一乃至十分の三の高度に固定される。またろ紙は底環（ボトムリング）形態によりファイバー容器に固定され、ろ紙と前記底面との間で熱膨張空間を構成する。【００１０】  乾燥食品は熱膨張空間においてパッケージングされる。熱湯がファイバー容器に加えられてろ紙を経ることで、乾燥食品は熱膨張及び熱変性を生成し、且つ組織液を放出する。この組織液は熱拡散性または解離熱によって全ての熱湯へと拡散及び流動し得る。
【図面の簡単な説明】
【００１１】
【図１】本考案による乾燥食品をパッケージングするファイバー容器の第一実施形態の断面図である。
【図２】図１におけるＡ部分の部分拡大図である。
【図３】本考案による乾燥食品をパッケージングするファイバー容器の第二実施形態の断面図である。
【図４】図３におけるＢ部分の部分拡大図である。
【図５】本考案による乾燥食品をパッケージングするファイバー容器の第三実施形態の断面図である。
【図６】図５におけるＣ部分の部分拡大図である。
【考案を実施するための形態】
【００１２】  図１及び図２を参照すれば、本考案による乾燥食品をパッケージングするファイバー容器の第一実施形態は、主にファイバー容器１、ろ紙２及び乾燥食品５により構成される。
【００１３】  ファイバー容器１はコーンのような錐体の形態を有し、底面１１を構成する。そのうち、ファイバー容器１は板紙容器により構成される。
【００１４】  ろ紙２は超音波機器加工を通じて形成されるもので、このろ紙２はファイバー容器１の全長の十分の一乃至十分の三の高度に固定される。またろ紙２は底環１３（ボトムリング）形態によりファイバー容器１に固定され、ろ紙２と底面１１との間で熱膨張空間１２を構成する。そのうち、超音波機器加工とは、音波発生装置を用いて２０ｋｈｚまたは１５ｋｈｚの高周波数信号を生成し、超音波機器上に固定されたエネルギ変換装置のはんだ付けヘッドを直接ろ紙２の周囲に接触させ、高周波振動を通じてファイバー容器１とろ紙２との接触部分の分子に、激しい摩擦による部分的な高温を発生させて融解をさせ、冷却後において固化及び粘合をさせるものである。
【００１５】  乾燥食品５は熱膨張空間１２においてパッケージングされる。熱湯がファイバー容器１に加えられてろ紙２を経ることで、乾燥食品５は熱膨張及び熱変性を生成し、且つ組織液を放出する。この組織液は熱拡散性または解離熱によって全ての熱湯へと拡散及び流動し得る。
【００１６】  図３及び図４を参照すれば、本考案による乾燥食品をパッケージングするファイバー容器の第二実施形態は、主にファイバー容器１、ろ過フレーム３１及び乾燥食品５により構成される。
【００１７】  ファイバー容器１は錐体の形態を有し、底面１１を構成する。そのうち、ファイバー容器１は板紙容器により構成される。
【００１８】  ろ過フレーム３１は環状構造であり、超音波機器加工を通じてろ過膜３３を、またはろ過布を、またはろ紙２を、またはろ過網を、ろ過フレーム３１の上表面に形成し、その側辺からは少なくとも三つの支柱３２を延伸して形成し、前記側辺及び支柱３２は複数の凹凸構造を形成して有する。この凹凸構造はファイバー容器１と摩擦することでファイバー容器１の前記錐体の接触面へと固定され、且つ支柱３２と底面１１は相互近接する。ろ過フレーム３１と底面１１との間で熱膨張空間１２を構成し、ろ過フレーム３１はファイバー容器１の全長の十分の一乃至十分の三の高度に固定される。
【００１９】  乾燥食品５は熱膨張空間１２においてパッケージングされる。熱湯がファイバー容器１に加えられてろ過フレーム３１を経ることで、乾燥食品５は熱膨張及び熱変性を生成し、且つ組織液を放出する。この組織液は熱拡散性または解離熱によって全ての熱湯へと拡散及び流動し得る。
【００２０】  図５及び図６を参照すれば、本考案による乾燥食品をパッケージングするファイバー容器の第三実施形態は、主にファイバー容器１、ろ過ユニット４及び乾燥食品５により構成される。
【００２１】  ファイバー容器１は錐体の形態を有し、底面１１を構成する。そのうち、ファイバー容器１は板紙容器により構成される。
【００２２】  ろ過ユニット４は底面１１との間で熱膨張空間１２を形成し、ろ過ユニット４の高さはファイバー容器１の全長の十分の一乃至十分の三の高度である。ろ過ユニット４の側辺は複数の凹凸構造を形成して有する。この凹凸構造はファイバー容器１と摩擦することでファイバー容器１の前記錐体の接触面へと固定され、且つろ過ユニット４と底面１１は相互近接する。
【００２３】  乾燥食品５は熱膨張空間１２においてパッケージングされる。熱湯がファイバー容器１に加えられてろ紙２を経ることで、乾燥食品５は熱膨張及び熱変性を生成し、且つ組織液を放出する。この組織液は熱拡散性または解離熱によって全ての熱湯へと拡散及び流動し得る。
【００２４】  ろ過フレーム３１、ろ過布、ろ過膜３３、ろ紙２、ろ過網及びろ過ユニット４の孔径の大きさによって決定されるものがある。例えば孔径が２００マイクロメートルよりも小さい場合、複数のこの孔径は、熱膨張空間１２中にパッケージングされる乾燥食品５（例えば、茶葉、コーヒー豆、健康食品、乾燥野菜、ドライフラワー、ドライプランツ等）から前記組織液をろ過する効果を有する。
【００２５】  ろ過フレーム３１、ろ過布、ろ過膜３３、ろ紙２、ろ過網及びろ過ユニット４の孔径の部分は、圧力降下を生成することもできる。この圧力降下は孔径の大きさ、数量及び総通過表面積によって決まるものである。これにより、熱膨張空間１２中で一定の圧力が維持されると同時に、乾燥食品５と熱湯との間の熱膨張及び熱変性の相互作用が改善される。
【００２６】  ろ過フレーム３１、ろ過布、ろ過膜３３、ろ紙２、ろ過網及びろ過ユニット４の前記孔径の直径または幅は、５０マイクロメートル乃至８００マイクロメートルの間、好ましくは１００マイクロメートル乃至６００マイクロメートルの間とすることができる。孔径が２００マイクロメートルまたは２００マイクロメートル以上の幅或いは直径を有し、且つ流動を制限していない場合において、また、例えば比較的高い圧力降下を生成する乾燥食品５をファイバー容器１中に置いた時の前記組織液が熱拡散性または解離熱により流動経路中に拡散した際においてであるが、前記組織液の流動経路が比較的低い圧力降下である状況下で、比較的大きな孔径を有するろ過フレーム３１、ろ過布、ろ過膜３３、ろ紙２、ろ過網及びろ過ユニット４は、乾燥食品５を熱膨張空間１２において保持するものであるものの、一方で前記組織液は熱膨張空間１２を迅速に離れることができ（即ち比較的高い流速が生成される）、且つ熱膨張空間１２中の熱湯と乾燥食品５との間に発生する相互作用も少なくなる。
【００２７】  ある形態においては、出口孔孔径を有するろ過フレーム３１、ろ過布、ろ過膜３３、ろ紙２、ろ過網及びろ過ユニット４は、濾紙、織物繊維、非織物繊維、網状材料、多孔ポリマー薄膜またはそれらの組み合わせにより形成することができる。この状況において、ろ過フレーム３１、ろ過布、ろ過膜３３、ろ紙２、ろ過網及びろ過ユニット４の部分は、ろ過機器、繊維または網状材料の帯または異なる部分により形成することができる。網状材料は、例えば金属及び／またはポリラインとすることができる。当該繊維はポリライン及び／または天然繊維の織物とすることができる。これら異なる状況において、孔径は材料に形成される繊維間での孔により形成することができる。詳しく言えば、ポリマー繊維、網状材料または多孔ポリマー薄膜は破裂しにくいものとすることができ、同時に比較的低い気孔率を有するように設計することができる。
【００２８】  以上をまとめると、本考案は空間的形態において創造性を有し、周知技術と比較して、以上に述べた効果の発揮をよく促進するものであるため、実用新案登録に求められる新規性、進歩性の要件を満たす。ここに本考案の実用新案登録を申請するので、審査により登録の査定を賜りたい。
【符号の説明】
【００２９】１    ファイバー容器１１  底面１２  熱膨張空間１３  底環２    ろ紙３１  ろ過フレーム３２  支柱３３  ろ過膜４    ろ過ユニット５    乾燥食品 
【手続補正３】
【補正対象書類名】図面
【補正対象項目名】全図
【補正方法】変更
【補正の内容】
【図１】
0003227207.tif 000009
【図２】
0003227207.tif 000010
【図３】
0003227207.tif 000011
【図４】
0003227207.tif 000012
【図５】
0003227207.tif 000013
【図６】
0003227207.tif 000014